(57)【特許請求の範囲】
【請求項１】
ベースとなる台紙と、この台紙の表裏を覆い、且つ、少なくとも標準的なサービスサイズの写真を横方向から収容するポケットを上下に３段形成した一枚の透明フィルムカバーとからなるアルバム台紙であって、フィルムカバーの底縁に沿って所定の距離を置いてパノラマサイズやハイビジョンサイズの写真を出し入れするスリットを設けたことを特徴とするアルバム台紙。
【請求項２】
ポケットはポストカードサイズの写真を収容できる大きさに設定した請求項１記載のアルバム台紙。
【請求項３】
フィルムカバーの上縁に沿って所定の距離を置いてパノラマサイズの写真を挿入するスリットを設けた請求項１または２記載のアルバム台紙。
【請求項４】
フィルムカバーの上底縁の中央よりやや上で底縁からハイビジョンサイズの写真の長辺より長い距離を置いてハイビジョンサイズの写真を挿入するスリットを設けた請求項１、２または３記載のアルバム台紙。
【発明の詳細な説明】
【０００１】
【発明の属する技術分野】
この発明は、標準的なサービスサイズの写真であれば複数枚を同時に収容でき、前記サービスサイズよりも横長であるパノラマサイズやハイビジョンサイズの写真をも収容できるポケット式アルバム台紙の改良に関するものである。
【０００２】
【従来の技術】
図４は従来知られているこの種ポケット式アルバム台紙の基本的な構造を示したものである。この図において、２０はベースとなる台紙、２１は台紙２０を覆い、且つ、上下３段のポケット２２を形成してなる透明のフィルムカバーを示している。フィルムカバー２１は台紙２０のメモ用余白２３側のみが開口され、その他の三辺は閉じられた袋状となっている。そして、ポケット２２は台紙２０を三等分する２箇所にそれぞれ一対に設けた穴２４・２４、２５・２５を介しフィルムカバー２１の表裏を溶着して形成されている。
【０００３】
ポケット２２のそれぞれは、標準的なサービスサイズの写真を収容する大きさに形成されている。よって、この構造であればサービスサイズの写真を片面で３枚、両面で合計６枚同時に収容することができる。
【０００４】
また、従来のポケット式アルバム台紙は、フィルムカバー２１の上方にスリット２６が設けられている。スリット２６はサービスサイズよりも横長のパノラマサイズやハイビジョンサイズの写真を縦に入れるための挿入口である。このとき台紙２０の同列における一対の穴２４・２４、２５・２５の間隔は、サービスサイズの長い辺よりも短く、且つ、パノラマサイズやハイビジョンサイズの短い辺よりも長くなるように設定されている。よって、この構造であれば少なくとも上述した３種類のサイズの写真を選択的に収容することができる。
【０００５】
ところで、ＡＰＳ（ａｄｖａｎｃｅｄ  ｐｒｉｎｔ  ｓｙｓｔｅｍ）によるプリントサイズは、標準的なサービスサイズ（日本では１２７ｍｍ×８９ｍｍ）を除いて、３種類が用意されている。その一つはパノラマサイズであり、日本では８９×２５４（ｍｍ）、アメリカ（コダック系を含む。以下同じ）では４×１０（ｉｎｃｈ）に設定されている。また、ハイビジョンサイズは、日本では８９×１５８（ｍｍ）、アメリカでは４×７（ｉｎｃｈ）に設定されている。残る一つはポストカードサイズであり、日本では１０２×１４８（ｍｍ）、アメリカでは４×６（ｉｎｃｈ）に設定さている。
【０００６】
【発明が解決しようとする課題】
既に述べたように、サービスサイズの写真の他、パノラマサイズやハイビジョンサイズの写真をも収容するために、フィルムカバーにスリットを設け、且つ、台紙の穴を適当な間隔に設けたポケット式アルバム台紙は既に存在する。例えば、実開平６−４５７６５号公報、実用新案登録第３００１７１４号公報を参照する。
【０００７】
しかし、従来のものは何れも、スリットをフィルムカバーの上方に設けていたので問題があった。なぜなら、スリットの形成位置をフィルムカバーの上方に設定すると、パノラマサイズやハイビジョンサイズの写真を十分に奥深く挿入した場合、写真を取り出そうとする際に指が写真の上縁に届かない、若しくは無理に指を挿入するあまりスリットが切り裂かれるからである。この発明の発明者による計測では、従来のスリット位置であると、パノラマサイズの場合、その上縁はスリットから４６〜６４ｍｍ程度、ハイビジョンサイズの場合、１２２〜１５９ｍｍも離れることが確認された。
【０００８】
なお、パノラマサイズやハイビジョンサイズの写真を収容する場合は、その下縁がフィルムカバーの底辺と一致するところまで奥深く挿入することが好ましい。見た目の安定感を得るため、また振動などによって写真が傾き、見辛くなることを避けるためである。またスリットは、見栄えを損なわないように、極力少ない本数で、且つ厚み（開口の大きさ）の小さいものが好ましい。とすれば、パノラマサイズやハイビジョンサイズの写真を出し入れし易くするために、写真サイズに応じた位置に複数本のスリットを設けることや、スリット自体の形状を変更することは、課題を解決するために採用する最良の手段とはいえない。
【０００９】
この発明の目的は、見栄えを一切損なうことなく、パノラマサイズやハイビジョンサイズの写真を出し入れし易いポケット式アルバム台紙を広く提供することである。
【００１０】
【課題を解決するための手段】
上述した目的を達成するために本発明では、上述した従来のものと基本構造を同じくする３段ポケット式アルバム台紙において、フィルムカバーの底縁に沿って所定の距離を置いてパノラマサイズやハイビジョンサイズの写真を出し入れするスリットを設けるという手段を用いた。スリットはサービスサイズよりも横長の写真を縦置きの状態で出し入れするためのもので、特にスリットの極めて近くに写真の下縁が位置するため、指を奥深く挿入しなくとも簡単に横長の写真を取り出すことができる。
【００１１】
請求項２では、ポケットをポストカードサイズの写真が収容できるように設定した。この構成であれば、少なくともポストカードサイズ、パノラマサイズ、ハイビジョンサイズの３種類の写真を収容することができる。また、標準的なサービスサイズを含めて、最大で４種類の写真を収容することも可能である。
【００１２】
請求項３では、特にパノラマサイズの写真を挿入するためのスリットをフィルムカバーの上縁に沿って所定の距離を置いて設けるという手段を採用した。このときハイビジョンサイズの写真はこの上方のスリットから挿入してもよいし、下方のスリットから挿入してもよい。ただし、何れの写真も取り出すときは、下方のスリットから簡単に取り出すことができる。
【００１３】
請求項４では、特にハイビジョンサイズの写真を挿入するためのスリットをフィルムカバーの上底縁の中央よりやや上で底縁からハイビジョンサイズの写真の長辺より長い距離を置いて設けるという手段を採用した。このときパノラマサイズの写真は上方のスリットがある場合はそこから，また無い場合は下方のスリットから挿入することができる。ただし、何れの写真も取り出すときは、下方のスリットから簡単に取り出すことができる。
【００１４】
【発明の実施の形態】
以下、本発明の好ましい実施の形態を添付した図面に従って説明する。図１は本発明の第一実施形態に関するアルバム台紙の正面図である。その基本的な構成は従来のポケット式アルバム台紙と変わるところはない。つまり、所定の大きさの台紙１と、底縁・一つの側縁を閉じた袋状の透明のフィルムカバー２とからなり、台紙１にはこれを三等分する２箇所に穴３・３、４・４が形成され、フィルムカバー２は台紙１の表裏を覆うように配置され、フィルムカバー２の表裏を前記穴３・３、４・４を介して溶着することにより、ポケット５が上下３段に形成されている。そして、標準的なサービスサイズの写真はフィルムカバー２が開口している台紙１の余白６側からポケット５に収容する。なお、この実施形態においてはフィルムカバー２の上縁を開口し、ここからパノラマサイズの写真を挿入できるようにしているが、これは本発明の必須の要件ではなく、前記上縁も底縁等と同じく閉じた構成としてもよい。
【００１５】
この構成において、台紙１の余白６は、収容する写真のインデックスやコメントなどを書き込んだり、綴じ込み用の穴を形成したりする部分である。また、７は台紙１に形成した円弧状の切込みである。この切込み７は、ポケット５に収容したサービスサイズの写真を取り出すときに、切込み７から露出する写真の一部を指で反対側に押し出すためのものである。なお、台紙１の余白６や切込み７は任意で設けられるもので、この発明の特徴点ではない。
【００１６】
図１において、８はサービスサイズよりも横長のパノラマサイズやハイビジョンサイズの写真を出し入れするためのスリットを示している。スリット８はフィルムカバー２の下方に形成され、このことは本発明の最も重要な要件である。
【００１７】
ここまで述べた構成からなるアルバム台紙は、次のように使用することができる。まず、サービスサイズの写真であれば、ポケット５に台紙１の余白６側から通常の向きに収容する。サービスサイズの写真のみであれば、ポケット５の数と同じ枚数を収容することができる。つまり、台紙１の表裏を合わせて最大６枚まで収容することができる。
【００１８】
一方、パノラマサイズやハイビジョンサイズの写真はスリット８からポケット５を横切るような態様で縦置きに収容する。収納された写真の配置は従来と同じである。つまり写真の下縁とフィルムカバー２の底辺とを一致させた状態で写真は収容される。この状態で収容された写真はスリット８から簡単に取り出すことができる。なぜなら、写真の下縁はスリット８の極めて近くにあり、指が写真の下縁に簡単に届くからである。
【００１９】
上述したアルバム台紙は、通常のサービスサイズ、パノラマサイズ、ハイビジョンサイズの３種類のサイズの写真を選択的に収容することができる。また、サービスサイズのみであれば片面３枚を収容することができる。ハイビジョンサイズであれば、これ１枚とポケット５の最上段にサービスサイズの写真１枚を同時に収容することができる。ただし、パノラマサイズでは、それ１枚のみを縦置きに収容する。
【００２０】
ところで、ＡＰＳで用意されるプリントサイズにはサービスサイズよりも一回り程度大きいポストカードサイズがある。そこで、各ポケット５にポストカードサイズの写真を収容できるように、ポケット５の大きさを変更することも可能である。また、そうした場合にも、各ポケット５に通常のサービスサイズの写真を収容することはユーザーの自由である。もし各ポケット５の大きさがポストカードサイズに対応したものであっても、台紙１の穴３・３、４・４の間隔がサービスサイズの長い辺よりも短ければ、ポケット５にサービスサイズの写真を収容しても脱落することはないからである。
【００２１】
図２は、第二の実施形態に関するアルバム台紙を示した正面図である。このアルバム台紙が３段ポケット式であること、フィルムカバー２の下方にスリット８を設けたことなどは第一の実施形態と変わるところがない。この第二実施形態の特徴はフィルムカバー２の上方にスリット９を形成したことにある。上方のスリット９はパノラマサイズやハイビジョンサイズの写真を挿入するために機能する。このことより下方のスリット８はパノラマサイズやハイビジョンサイズの写真を取り出すときに機能する。スリット８からパノラマサイズやハイビジョンサイズの写真を取り出しやすいことは既に説明した。
【００２２】
図３は、第三の実施形態に関するアルバム台紙を示した正面図である。この第三実施形態の特徴は、第二実施形態で説明した下方のスリット８、上方のスリット９に加えて、フィルムカバーの中央よりやや上に中段のスリット１０を設けたことにある。この中段のスリット１０は特にハイビジョンサイズの写真を収容するときに機能する。従って、上方のスリット９はパノラマサイズの写真を挿入するときに機能する。そして、下方のスリット８は専らこれら写真を取り出すときに機能し、既に説明したようにこのスリット８の近傍に写真の下縁が位置するから、写真を取り出しやすいのである。
【００２３】
なお、３つの実施形態では、スリット８・９・１０について５ｍｍ程度のものを示した。しかし、見栄えを確保するのであれば、スリットの厚みは小さい方が好ましい。最適なのは厚みがない単なる切込みで構成することである。ただし、スリットに重要なことは指先が挿入でき、且つパノラマサイズやハイビジョンサイズの写真を出し入れできることである。
【００２４】
【発明の効果】
以上説明したように本発明によれば、パノラマサイズやハイビジョンサイズの写真をフィルムカバーの下方に形成したスリットから出し入れするようにしたので、特にこの種横長の写真を取り出すときに指が写真に届きやすく、容易に写真を取り出すことができる。
【図面の簡単な説明】
【図１】本発明の第一の実施形態を示したアルバム台紙の正面図
【図２】同、第二の実施形態を示したアルバム台紙の正面図
【図３】同、第三の実施形態を示したアルバム台紙の正面図
【図４】従来の３段ポケット式アルバム台紙の正面図
【符号の説明】
１  台紙
２  フィルムカバー
３、４  穴
５  ポケット
６  余白
７  切込み
８  上方のスリット
９  下方のスリット
１０  ほぼ中段のスリット
【図１】
0004435364.tif 000002
【図２】
0004435364.tif 000003
【図３】
0004435364.tif 000004
【図４】
0004435364.tif 000005